(57)【要約】【課題】運転中に羽根車に力が掛かっても、羽根車が回転軸から脱落しない構造の回転部材の取付け構造を提供する。【解決手段】ブラケッ２０は、円筒状のボス１８におけるモータの反対側に被さって、ボス１８に固定され、ボス１８の中心部に回転軸１４が自由に回転するように貫通孔３２が貫通し、ストッパー１６が回転軸１４と直交するように固定され、ボス１８の内周部にストッパー１６が当接する突部３０が突出し、ブラケッ２０の中心部に回転軸１４の先端部が保持される保持孔４０が開口したものである。【選択図】      図１
2006046275.tif 000002
【特許請求の範囲】
【請求項１】
モータの回転軸に羽根車、プロペラ、ファン、インペラなどの回転部材を取り付ける構造において、
前記回転部材の中心にあり複数枚の羽根が外方に突出した円筒状のボスと、前記ボスの蓋となるブラケットと、前記ボスの内周側に配される略棒状のストッパーとを少なくとも有し、
前記ボスの中心部に前記回転軸が自由に回転するように貫通孔が貫通し、
前記貫通孔を貫通した回転軸が前記ストッパーと直交するようにさらに貫通して固定され、
前記ボスの内周部に前記ストッパーが当接する突部が突出し、
前記ブラケットの中心部に前記回転軸の先端部が回転自在に保持される保持孔が開口し、
前記ブラケットは前記保持孔に前記回転軸の先端部を保持した状態で、前記円筒状のボスに被さって固定されるものであり、前記ブラケットが被さる位置が前記モータの反対側である
ことを特徴とする回転部材の取り付け構造。
【請求項２】
前記モータが、同期モータである
ことを特徴とする請求項１記載の回転部材の取り付け構造。
【請求項３】
前記モータが、ドレインポンプ、洗濯機、食器洗い器用のポンプ、または、ブロワの駆動源である
ことを特徴とする請求項１記載の回転部材の取り付け構造。
【発明の詳細な説明】
【技術分野】
【０００１】
本発明は、同期モータなどのモータの回転軸に羽根車、プロペラ、ファン、インペラなどの回転部材を取り付ける構造に関するものである。
【背景技術】
【０００２】
洗濯機などのポンプにおいては、構造が簡単でそのコストが安い同期モータがよく使用されている。
【０００３】
この同期モータを使用したドレインポンプは、始動を容易にするために回転軸と羽根車の取付けは、自由角を持ち、かつ、羽根車が回転軸から脱落しないように回転軸に強く固定されたストッパーを羽根車とブラケットで挟み付けた構造となっている（例えば、特許文献１参照）。
【０００４】
また、回転部材の組み立て作業を容易にするため、ブラケットは回転軸が貫通した状態で羽根車に圧入固定されている。
【特許文献１】ＵＳＰ４，８６１，２４０５
【発明の開示】
【発明が解決しようとする課題】
【０００５】
上記のような構造の回転部材の取付け構造においては、ドレインポンプの運転中に、水などに異物が混じり、この異物によって羽根車へ力が掛かったときに、羽根車がブラケットから外れると共に回転軸からも外れて、羽根車が脱落するという問題点がある。
【０００６】
そこで、本発明は上記問題点に鑑み、運転中に羽根車に力が掛かっても、羽根車が回転軸から脱落しない構造の回転部材の取付け構造を提供する。
【課題を解決するための手段】
【０００７】
請求項１に係る発明は、モータの回転軸に羽根車、プロペラ、ファン、インペラなどの回転部材を取り付ける構造において、前記回転部材の中心にあり複数枚の羽根が外方に突出した円筒状のボスと、前記ボスの蓋となるブラケットと、前記ボスの内周側に配される略棒状のストッパーとを少なくとも有し、前記ボスの中心部に前記回転軸が自由に回転するように貫通孔が貫通し、前記貫通孔を貫通した回転軸が前記ストッパーと直交するようにさらに貫通して固定され、前記ボスの内周部に前記ストッパーが当接する突部が突出し、前記ブラケットの中心部に前記回転軸の先端部が回転自在に保持される保持孔が開口し、前記ブラケットは前記保持孔に前記回転軸の先端部を保持した状態で、前記円筒状のボスに被さって固定されるものであり、前記ブラケットが被さる位置が前記モータの反対側であることを特徴とする回転部材の取り付け構造である。
【０００８】
請求項２に係る発明は、前記モータが、同期モータであることを特徴とする請求項１記載の回転部材の取り付け構造である。
【０００９】
請求項３に係る発明は、前記モータが、ドレインポンプ、洗濯機、食器洗い器用のポンプ、または、ブロワの駆動源であることを特徴とする請求項１記載の回転部材の取り付け構造である。
【発明の効果】
【００１０】
請求項１に係る発明の回転部材の取付け構造においては、ブラケットが、円筒状のボスにおけるモータの反対側に被さってボスに固定されている。そして、ストッパーが回転軸に固定され、ストッパーによってボスが回転軸から抜脱するのを防止している。したがって、ボスから突出した羽根に異物が当たって力が掛かっても、羽根を有するボスが回転軸から抜脱することがない。
【発明を実施するための最良の形態】
【００１１】
以下、本発明の一実施形態の回転部材１０について図１及び図２に基づいて説明する。
【００１２】
本実施形態は、小型同期モータの回転軸１４に小型ドレインポンプのインペラ１２を取り付ける構造である。
【００１３】
（１）回転部材１０の構成
回転部材１０の部品としては、回転軸１４、インペラ１２以外に、ストッパー１６とブラケット２０を有する。インペラ１２は、その中心にある上面が開口した円筒形のボス１８から４枚の羽根２２が突出している。また、ボス１８の内部には、ストッパー１６を収納するための収納空間２４が設けられている。
【００１４】
図１に示すように、ボス１８の収納空間２４の上方には、三角円錐状のブラケット２０が被さる構造であり、ブラケット２０の下端部外周部に突条２６が設けられ、この突条２６が、ボス１８の収納空間２４の上端部内周側に設けられた溝２８と嵌合して、ブラケット２０とボス１８が固定される。また、回転軸１４の先端を回転自在に保持する保持孔４０がブラケット２０の下面の中央部に軸方向に開口している。
【００１５】
ボス１８の収納空間２４の内周壁には、台形状の突部３０が突出し、四角柱状のストッパー１６が当接する（図２参照）。さらに、ボス１８の底面中心部には、軸方向に沿って貫通孔３２が貫通し回転軸１４が回転自在に貫通する。また、この貫通孔３２の外周部には、段部３４が設けられ、リング状のパッキング３６が配される。
【００１６】
（２）回転部材１０の組み立て方法
上記構成の回転部材１０の組み立てる方法について説明する。
【００１７】
第１に、モータから突出した回転軸１４を、ボス１８の底面に貫通している貫通孔３２に貫通させる。
【００１８】
第２に、回転軸１４が貫通している貫通孔３２の外周部にある段部３４にパッキング３６を配する。
【００１９】
第３に、四角柱状のストッパー１６の固定孔３８に回転軸１４を嵌め込み、ストッパー１６と回転軸１４を圧入固定する。この場合に、ストッパー１６が回転軸１４に対し直交するように配する。
【００２０】
第４に、回転軸１４の先端部をブラケット２０の中心部に開口している保持孔４０に回転自在に保持する。
【００２１】
第５に、回転軸１４が固定されたブラケット２０を、ボス１８の収納空間２４の上部に被せる。この場合に、ブラケット２０の突条２６とボス１８の溝２８とを嵌合させ固定する。
【００２２】
（３）回転部材１０の機能
上記構成の回転部材１０の機能について説明する。
【００２３】
同期モータが始動し回転軸１４が回転すると、ストッパー１６も回転する。この場合に図２に示すように、ストッパー１６がボス１８の内周側から突出した突部３０に当接するまで、回転軸１４は負荷が掛かることなく自由に回転する状態、すなわち、自由角を回転する状態となる。そして、ストッパー１６が突部３０に当接するとストッパー１６の回転と共にボス１８及びブラケット２０が回転し、インペラ１２が回転する。
【００２４】
このように、同期モータの始動時においては、ボス１８は回転せず、ストッパー１６のみが回転し、同期モータを容易に始動することができる。
【００２５】
インペラ１２の回転中に、このインペラ１２の羽根２２に異物が当たり、力が掛かった場合でも、ボス１８は、ブラケット２０及びストッパー１６によって回転軸１４に対し固定されているため、回転軸１４からインペラ１２が外れたりすることがない。
【００２６】
もし、異物の当たり方によってブラケット２０が外れても、ストッパー１６によってボス１８が回転軸１４に対し抜脱を防止する構造となっているため、ボス１８が回転軸１４から外れたりすることがない。
【産業上の利用可能性】
【００２７】
本発明は、例えば、小型の同期モータの回転軸にインペラ、プロペラ、ファンなどの回転部材を取り付ける構造に好適であり、モータは、洗濯機、食器洗い器用のポンプ、ドレインポンプ、または、ブロワの駆動源として好適である。
【図面の簡単な説明】
【００２８】
【図１】本発明の一実施形態を示す回転部材の縦断面図である。
【図２】図１におけるＡ−Ａ線断面図である。
【符号の説明】
【００２９】
１０  回転部材
１２  インペラ
１４  回転軸
１６  ストッパー
１８  ボス
２０  ブラケット
２２  羽根
２４  収納空間
２６  突条
２８  溝
３０  突部
３２  貫通孔
３４  段部
３６  パッキング
３８  固定孔
４０  保持孔
【図１】
2006046275.tif 000003
【図２】
2006046275.tif 000004